(57)【要約】【課題】  簡単な構造で確実にネズミを捕獲することのできるネズミ捕り器を提供する。【解決手段】  筺体の一つの開口面を開閉する扉を設け、この扉に付けた糸を第１の仕掛棒に結びつけ、第１の仕掛棒と協働して作用する第２の仕掛棒とで、開閉扉をネズミが侵入できる程度に開いた状態で吊り上げる。ネズミが筺体内に侵入して、第２の仕掛棒を踏むと、扉を引っ張る糸の緊張が解けて、扉が重力で落下し、ネズミが捕獲される。【選択図】    図１   
2005328716.tif 000002
【特許請求の範囲】
【請求項１】
底板、左右一対の側板、上板、奥板とから該奥板の対抗面を開口して筺体を構成し、
前記上板には所定の位置に穴が形成されており、
前記奥板に対抗した開口面を上下動して開閉する扉を設け、
該扉には糸が結合され、該糸は、前記開口面上方に配置された第１の支持棒に案内され、前記上板の穴を通って、第１の仕掛棒に接続されており、
前記左右側板は、前記底板及び前記奥板と平行の所定位置に設けられた第２の支持棒によって結合されており、
前記筺体内には、前記第１の仕掛棒と協働して作用する第２の仕掛棒が設けられ、前記左右側板の下部内面には、第２の仕掛棒を第１の仕掛棒によって押さえる支え部材が形成されており、
前記第１の仕掛棒と、前記第２の支持棒と、前記糸の張力とにより、前記第２の仕掛棒を、前記底板から所定距離離れた状態で前記支え部材に押し付け、前記底板と略平行に保持することにより、前記扉を一部開口状態としてネズミの侵入を待つようにしたネズミ捕り器。
【請求項２】
底板と、
該底板に結合される左右一対の側板と、
該側板及び前記底板と結合され、所定の位置に穴が形成された上板と、
前記底板、前記左右側板、及び前記上板と結合され、対抗面を開口させて筺体を構成する奥板と、
前記奥板に対抗した開口面を上下動して開閉する扉と、
該扉を上下動させるために、前記左右側板の開口面側端部に設けられた左右一対の支柱兼案内ガイドと、
前記左右一対の支柱兼案内ガイドの上端あるいはその近傍に固定された第１の支持棒と、
前記左右側板の所定位置にあって前記底板及び前記奥板に略平行に固定配置された第２の支持棒と、
前記左右側板の内面上下方向に固定配置された左右一対の支え部材と、
前記扉の上部に一端が接続され、前記扉を牽引して開閉制御する糸と、
前記上板の前記穴を経由した前記糸の他端が接続固定される第１の仕掛棒と、
前記左右側板に設けられた前記支え部材に、前記第２の支持棒と、前記糸の張力と、前記第１の仕掛棒の協働作用により第２の仕掛棒を、前記底板から所定距離離れた位置に前記底板と略平行に保持することにより、前記扉を一部開口状態としてネズミの侵入を待つようにしたネズミ捕り器。
【請求項３】
前記扉には、該扉を落下しやすくするための錘が付加されている請求項１または２に記載のネズミ捕り器。
【発明の詳細な説明】
【技術分野】
【０００１】
本発明は、各家庭や街中に頻繁に現れるネズミを捕獲するネズミ取り器に関する。
【背景技術】
【０００２】
従来、各家屋や街中に現れるネズミ等の小動物を捕獲する装置としては、バネ式ネズミ捕り器や、かご式ネズミ捕り器が知られている。バネ式は、基板上に設けた挟み部材にバネにより蓄積されたエネルギー与えて、挟み部材の回転力を利用することにより、ネズミを挟むものである。すなわち、バネにエネルギーを蓄積した状態で挟み部材をバネのエネルギーに抗して係止しておき、挟み部材に付けておいた餌に、ネズミが食いつくと挟み部材の係止がはずれ、バネに蓄積されたエネルギーが挟み部材の回転力に転換されてネズミを基板に挟み捕獲するものである。
また、かご式のものは、かごの入り口を入りやすく出にくい構成にしてネズミを捕獲するものである。バネ式のネズミ捕り器では餌に食いつかない限り、その効果は発揮されないという問題がある。かご式のネズミ捕り器では、ネズミが本能的に危険を察知して入り込まないという不都合があった。
【０００３】
また、粘着シートの上に餌を巻き、ネズミが餌につられて粘着シート上に載ると粘着シートに足や体が付きにげられなくなるものが知られている。しかし、床置きの粘着シートはネズミの足が湿っていたり、汚れていたりすると粘着力が弱くなるので、これを改善した粘着式ネズミ捕り用具が提案されている（例えば、特許文献１を参照。）。
【０００４】
この特許文献１に記載のネズミ捕り用具は、図４に示すように、かぎ状の棒１０１をつけた下部の板１００をシーソーのように傾けて置き、その上に餌１０２をばら撒いておく。そして、上側に粘着剤１０３を塗布した上板１０４を糸１０５で吊り上げてある。この糸１０５は棒１０６に接続されており、この棒１０６がかぎ状の棒１０１によって図面左方向に引っ張られて粘着剤を塗布した上板１０４が持ち上げられた状態で保持されている。
このネズミ捕り用具において、ネズミ１０７が左方から下部の板１００上に入って奥に進み、餌１０２の部分に到達すると、ネズミ１０７の重さでシーソーの下部板１００が支点１０８を軸として反対側に傾き、かぎ状の棒１０１と棒１０６の係合が外れ、粘着剤を塗布した上板１０４が落下する。この結果、粘着剤塗布板１０４と下部の板１００の間にネズミ１０７が挟まれて捕獲される。
【特許文献１】特開２００２−２７２３５０号公報
【発明の開示】
【発明が解決しようとする課題】
【０００５】
しかしながら、特許文献１に記載の発明は、下板１００が地面に対して斜めに配置され、支点１０８を中心軸として回転する構成になっているため、下板１００が動きやすく不安定になる。ネズミ１０７は一般に極めて用心深い習性があり、下板１００が動く状態であると警戒して入らない虞がある。また、粘着剤塗布板１０４を吊り上げるための大掛かりな仕掛けが必要であり、装置自体が複雑になってしまうという問題もある。
【０００６】
本発明は、上記従来技術の問題点を解決するため、ネズミに警戒心を抱かせることがなく、きわめて簡単な構造でネズミが確実に捕獲できるネズミ捕り器を提供することを目的とするものである。
【課題を解決するための手段】
【０００７】
上記課題を解決し、本発明の目的を達成するため、本発明のネズミ捕り器は、底板、左右一対の側板、上板、奥板とから該奥板の対抗面を開口して筺体を構成し、上板には所定の位置に穴が形成されており、奥板に対抗した開口面を上下動して開閉する扉を設け、該扉には糸が結合され、該糸は、前記開口面上方に配置された第１の支持棒に案内され、前記上板の穴を通って、第１の仕掛棒に接続されており、左右側板は、底板及び奥板と平行の所定位置に設けられた第２の支持棒によって結合されており、筺体内には、前記第１の仕掛棒と協働して作用する第２の仕掛棒が設けられ、左右側板の下部内面には、第２の仕掛棒を第１の仕掛棒によって押さえる支え部材が形成されており、第１の仕掛棒と、第２の支持棒と、糸の張力とにより、第２の仕掛棒を、底板から所定距離離れた状態で支え部材に押し付け、底板と略平行に保持することにより、扉を一部開口状態としてネズミの侵入を待つようにしたものである。
【０００８】
また、本発明のネズミ捕り器は、底板と、底板に結合される左右一対の側板と、該側板及び底板と結合され、所定の位置に穴が形成された上板と、上記底板、左右側板、及び上板と結合され、対抗面を開口させて筺体を構成する奥板と、この奥板に対抗する開口面を開閉制御する扉と、該扉を上下動させるために、前記左右側板の開口面側端部に設けられた左右一対の支柱兼案内ガイドと、この左右一対の支柱兼案内ガイドの上端あるいはその近傍に固定された第１の支持棒と、左右側板の所定位置にあって底板と奥板の両方に略平行に固定配置された第２の支持棒と、左右側板に設けられた左右一対の支え部材と、扉の上部に一端が接続され、扉を開閉制御する糸と、上板の穴を経由した糸の他端が接続固定される第１の仕掛棒と、左右側板に設けられた支え部材に押し付けられて固定される第２の仕掛棒とから構成されてなることを特徴としている。この第２の仕掛棒は、第２の支持棒と、糸の張力と、第１の仕掛棒の協働作用により左右側板に設けられた支え部材に押し付けられて、底板から所定距離離れた位置に底板と略平行に保持されるようになっている。
【０００９】
本発明のネズミ捕り器によれば、扉は、糸と、第１の仕掛棒と、支え部材及び第２の仕掛棒により、捕獲すべきネズミが筺体内に入ることができる程度に開状態にして引き上げられ、開状態の扉から箱体内に侵入したネズミが第２の仕掛棒を踏みつけて第２の仕掛棒を底板に落としたとき、前記第１の仕掛棒が回転し、上記扉が自重で落下し閉状態となることによりネズミが捕獲されるようになっている。
また、本発明の好ましい形態として、扉には、これを落下しやすくするための錘が付加されている。
【発明の効果】
【００１０】
本発明のネズミ捕り器によれば、入り口が広く開いているため、ネズミが奥に置かれた餌に釣られて警戒心なく開口した入り口から筺体内に入り、そして、いったん入り口から入ったネズミは略確実に横に配置された仕掛棒を踏みつけるので、その瞬間に入り口が遮断され、簡単にネズミを捕獲することができる。
【発明を実施するための最良の形態】
【００１１】
以下、図１〜図３に基づいて、本発明のネズミ捕り器の一実施の形態の例について説明する。
図１は、本発明のネズミ捕り器の全体構成を示す斜視図、図２と図３は扉の開閉動作を説明するための立断面図である。
【００１２】
図１に示すように、本発明のネズミ捕り器は、底板１と、左右の側板２Ａ，２Ｂと、奥板３と、上板４とで奥板３に対抗する面が開口状態となるように筺体が形成される。左右の側板２Ａ、２Ｂの開口面付近には支柱と案内ガイドを兼ねた支柱１３Ａ、１３Ｂが設けられ、この支柱１３Ａ、１３Ｂとガイド部材１４Ａ、１４Ｂとが形成する案内溝を通して開口部を覆う扉５が摺動可能に形成されている。この扉５の上部にはかぎ状のフック１５が設けられており、このかぎ状のフック１５に扉５を牽引するための糸１６の一端が接続されている。この扉５を牽引する糸１６は支柱１３Ａ、１３Ｂの上部に固定された第1の支持棒６、及び上板４に設けられた穴１７を介して第１の仕掛棒８の上部に接続されている。
【００１３】
左右の側板２Ａと２Ｂには、底板１と略平行に第２の支持棒７が固定されている。また同じく左右の側板２Ａ、２Ｂの底板１に近い部分には、図１に示すように支え部材１０Ａ、１０Ｂが設けられており、糸１６の第１の仕掛棒８を引っ張る力により第２の仕掛棒９が支え部材１０Ａと１０Ｂに押し付けられて固定されるようになっている。
【００１４】
また、開口面を開閉する扉５は、重い材料で構成されることが望ましいが、仮に軽い木材で構成される場合であっても、錘１１を扉前面につけることにより、扉を重くするように工夫している。第２の仕掛棒Ｂ（９）は床（底板１の表面）から１〜２センチ程度離して仕掛けるとネズミが入って来て踏みつける可能性が高い。しかし、この第２の仕掛棒Ｂ（９）を設置する高さは捕獲しようとするネズミの大きさを考慮して決めればよいことであり、図１の実践あるいは点線の位置いずれでもよい。
【００１５】
また、本例では、開閉扉５を上下動させる案内部材として、左右の側板２Ａ、２Ｂの前方内側に支柱１３Ａ、１３Ｂとガイド部材１４Ａ、１４Ｂからなる案内ガイドを設けているが、この案内ガイドの代わりにレール状の突起を左右側板２Ａ，２Ｂ上に設け、開閉扉５側にレールに対応して溝を設けるようにしてもよい。また、上板４に設けられる穴１７の大きさや形状は任意であり、糸１６が容易に貫通する大きさと形状であればよい。
本発明者（出願人）が試作したネズミ捕り器は、奥行３０ｃｍ、高さ３０ｃｍ、幅２０ｃｍである。そして、第１の支持棒６と第２の支持棒７は、略直径１０ｍｍ程度の丸い棒で形成し、第１の仕掛棒８と第２の仕掛棒９は５ｍｍ程度の細い棒で形成した。この寸法は任意の大きさでよく、捕獲するネズミ等の大きさに合わせて適宜変更可能である。
【００１６】
次に、図２及び図３に基づいて、本発明の一実施の形態の動作について説明する。
まず、図２に示すように、底板１の奥の部分に餌１２を置き、手で糸を引きながら扉５をいっぱいに持ち上げ、第２の仕掛棒９を第１の仕掛棒８の先で支え部材１０Ａと１０Ｂに押し付けて固定する。このとき第１の仕掛棒８の他端は第２の支持棒７に押し当てられている。この状態で手を筺体の外に出し、糸を離すと扉５がその重力で下方に移動して図示の状態でつりあって停止する。
【００１７】
図２に基づいて扉５の重力に抗して第１の仕掛棒８と第２の仕掛棒９がどのように作用しているかを説明する。扉５の質量をＭとすると力Ｆ（＝Ｍｇ重）が下方に作用する。この力Ｆは、第１の支持棒６、穴１７、第２の支持棒Ｂ７を経て第１の仕掛棒８に伝えられ、第１の仕掛棒８は第２の支持棒７からの抗力Ｆ１と第２の仕掛棒９からの抗力Ｆ２の和とつりあっている。すなわち、Ｆ＝Ｆ１＋Ｆ２という関係式が成り立つ。
これにより、第２の仕掛棒９は支え部材１０Ａ、１０Ｂに押し付けられ、支え部材１０Ａ、１０Ｂとの間に第２の仕掛棒９の重力に抗する摩擦力が作用するため、落下することがなく、底板１の表面から１センチ程度浮いた空間に配置される。
【００１８】
この状態は、扉５が数センチ上方に持ち上げられ、筺体内にネズミが入るに必要な開口が生じた状態となっている。ネズミが餌１２を食べようとして筺体内に入り、第２の仕掛棒９を越えるとき、足や体が第２の仕掛棒９に触れ、これを底板１上に落下させる。すると、図２の力Ｆ２が作用しなくなるので扉の重力Ｆ（糸１６の張力と同じ）により第１の仕掛棒８が引っ張られ、扉５が重力により落下する（図３参照）。つまり、図３に示すようにネズミの踏みつけにより第２の仕掛棒９が矢印の方向に落下するので、糸１４の張力の緊張が解けて扉５がその重力で落下し、入り口が閉じ、ネズミが捕獲される。
【００１９】
本発明はネズミ捕り器として説明しているが、本発明の原理は、ネズミ以外の動物や鳥などを捕獲する場合にも、筺体や仕掛棒のサイズを変更することにより、自在に適用できるものである。
また、本発明は、ここで説明した１つの実施の形態に限定されるものではなく、特許請求の範囲に記載した本発明の要旨を逸脱しない範囲で種々の実施の形態を含むものであることはいうまでもない。
【図面の簡単な説明】
【００２０】
【図１】本発明のネズミ取り器の斜視図である。
【図２】本発明のネズミ捕り器のネズミ捕獲前の状態を説明するための断面図である。
【図３】本発明のネズミ捕り器のネズミ捕獲後の状態を説明するための断面図である。
【図４】従来のネズミ捕り器の例を説明するための図である。
【符号の説明】
【００２１】
１・・・底板
２Ａ、２Ｂ・・・側板
３・・・奥板
４・・・上板
５・・・扉
６・・・第１の支持棒
７・・・第２の支持棒
８・・・第１の仕掛棒
９・・・第２の仕掛棒
１０Ａ、１０Ｂ・・・支え部材
１１・・・錘
１２・・・餌
１３Ａ，１３Ｂ・・・支柱兼案内ガイド
１４Ａ、１４Ｂ・・・ガイド部材
１５・・・かぎ状フック
１６・・・糸
１７・・・穴
【図１】
2005328716.tif 000003
【図２】
2005328716.tif 000004
【図３】
2005328716.tif 000005
【図４】
2005328716.tif 000006